(57)【特許請求の範囲】
【請求項１】
ポールパイプ（１）と、電機子（３）と、ばねアセンブリ（５）と、ポールコアー（７）と、引張り部材（３１）と、手動操作用のねじ付きボルト（２３）と、を具備している磁石スイッチ付き緊急手動操作用装置であって、
該ポールパイプ（１）が開口端部（１５）を有しており、
該電機子（３）が該ポールパイプ（１）の中で第一位置から第二位置へ磁場の励起により移動できるように取り付けられていて、
該ばねアセンブリ（５）が該電機子（３）を該第一位置に向かって付勢しており、
該ポールコアー（７）が雌ねじを備えた軸方向穴（２７）と第一環状溝（１７）とを有していて、該ポールパイプ（１）の該開口端部（１５）は該ポールコアー（７）と該ポールパイプ（１）とを接続するために該環状溝（１７）の中に折り込まれていて、
該引張り部材（３１）が該ポールコアー（７）の該軸方向穴（２７）の中で軸方向に摺動可能であり、かつ該軸方向穴（２７）の中にガイドされていて、そして該電機子（３）と協働する搬送部を有しており、該ばねアセンブリ（５）の付勢力に抗して該電機子（３）を移動するようになっており、該引張り部材（３１）は該ポールコアーの該開口端部（１５）を通過し該電機子（３）の軸方向穴の中へ延伸していて、そして、
手動操作用の該ねじ付きボルト（２３）は該引張り部材（３１）に軸方向に固定されていて、該引張り部材（３１）を該ポールコアー（７）の中で軸方向に移動するようになっていて、そして該ポールコアー（７）の該雌ねじと螺合しており、該引張り部材（３１）は該ねじ付きボルト（２３）の一体的な延伸部として形成されている、
磁石スイッチ付き緊急手動操作用装置において、
該ポールパイプ（１）と該ポールコアー（７）と該ばねアセンブリ（５）と該引張り部材（３１）と該手動操作用のねじ付きボルト（２３）とが、該開口端部（１５）に挿入される一つのプレハブ構造ユニットに組み立てられていて、
該ポールコアー（７）が、該ポールコアーの周囲に加工された環状溝（１７）を有していて、該ポールパイプ（１）の該開口端部（１５）を該環状溝（１７）の中に折り込むことにより該環状溝に結合していて、
少なくとももう一つの溝（１９）が該ポールコアー（７）の周囲に加工されていて、該ポールパイプ（１）の壁内面に係合してシール装置を形成するＯ−リング（２１）を受け入れるようになっており、
該緊急手動操作用装置が、該引っ張り部材（３１）の軸方向の摺動のための調節部材としてねじ付きボルト（２３）を有していて、該引っ張り部材（３１）のためのガイドを形成している該ポールコアー（７）の軸方向穴（２７）の内面ねじセグメント（２５）と協働していて、
該ねじ付きボルト（２３）が該ねじ付きボルトを手動で回転操作するために該ポールコアー（７）の該自由端部に接近可能なスクリューヘッド（２９）を有しており、そして、
該引っ張り部材が通過する該電機子（３）の該軸方向穴（１１）が該ポールコアー（７）に向いた第一環状肩面（４１）を形成するための部分的に細くなった個所（４３）を有していて、さらに該ばねアセンブリー（５）が該引っ張り部材に配置されかつ該第一環状肩面（４１）と該ポールコアー（７）との間で引き延ばされている、
緊急手動操作用装置。
【請求項２】
該ねじ付きボルト（２３）の該一体延伸部（３１）が該引っ張り部材を形成していて、該ねじ付きボルト（２３）の端部からテーパ付きの該一体延伸部（３１）が延伸していて、該一体延伸部３１はシール装置（３９）を通過して延伸していて、該シール装置が該ポール（７）の該軸方向穴（２７）の壁面内面にねじを有することなく該引っ張り部材のシールを果していることを特徴とする、請求項１に記載の緊急手動操作用装置。
【発明の詳細な説明】
【０００１】
本発明は磁石スイッチ付き緊急手動操作用装置に関する。その装置の電機子がばねアセンブリーの付勢力によりポールパイプの中で第一最終位置に移動され、磁場励磁によりばねアセンブリーの力に抗して第二最終位置に移動される。さらに引っ張り部材がポールコアーの中で軸方向に摺動していて、その引っ張り部材は手動操作装置により移動されまた電機子に係合する搬送部を有しており、電機子をばねの付勢力に抗して第二最終位置へ移動する。
【０００２】
この種類の装置はすべての安全装置におけるテンション型（ｔｅｎｓｉｏｎｉｎｇ）磁石スイッチとして公知であり、その安全装置は、例えば磁場励起の故障の間または磁場励起の機械的な遮断の間において電機子がばねの付勢力の作用に抗して作動しない場合における手動による係合操作に使われる。そのような場合、電機子を手動で作動出来る可能性は、特に以下のような場合利点となる。磁気スイッチが、例えばプレスまたは作業用シリンダーに使うために供給される油圧の調節用多方弁（ｍｕｌｔｉ−ｗａｙ  ｖａｌｖｅ）の作動用の油圧装置において役に立っている。また危険状態を回避することが本質的な事であり、緊急時においても油圧の供給を手動で行なうことが出来る。
【０００３】
西独特許出願公開第３３１７２２６号で開示されている前述の型式の公知の装置は構造が複雑で比較的多数の個々の構成部品を有している。もう一つの欠点は、個々の構成部品の数が多いこと、およびポールパイプが両側面で装置の製作時に取り付けられねばならないという条件との理由で、高い組み付けコストが発生することである。
【０００４】
本発明の目的は緊急手動操作用装置を開示するもので、その装置は公知の装置に比較して顕著な改善がなされていて、構造が簡単であり、装置にかかる出費コストも非常に低い。
【０００５】
本発明におけるこの型の装置の目的は、電機子とポールコアーとばね装置と引っ張り部材と作動装置とがモジュラーユニットの形態に組立てられていて、そのモジュラーユニットはポールパイプの開口端部内面と介してポールパイプにそう入されて、ポールパイプに結合されている。
【０００６】
この場合、緊急手動操作のための操作用要素および電機子に作用するばねアセンブリーとがポールコアーの中に一体に組込まれていることを考慮すると、一方で個々の構成部品の数を出来るだけ少なくしたコンパクトな構造体が得られている。同様に引っ張り部材と係合した電機子がプレハブ構造ユニットの構成部品であることを考慮すると、他方で装置を単純化するという利点が得られている。というのは、構造ユニットが必要とすることは単に一方の開口端部からポールパイプの中にそう入するだけだからである。
【０００８】
この場合におけるポールパイプとの結合は特に単純な構造で、ポールコアーがその周囲に加工された環状溝を有していて、ポールパイプの端部をフランジ状またはビード状の環状溝の中に巻き込むか折り込むかすることにより結合される。
【０００９】
一つの好適な実施の形態において、操作用装置が引っ張り部材の軸方向の摺動の動きを調節する部材としてねじ付きボルトを有していてもよくて、そのボルトは引っ張り部材のガイドを形成するポールコアーの軸方向穴の内面ねじセグメントに協働する。
【００１０】
そのような実施の形態において、もしねじ付きボルトがポールコアーの開口端部で接近可能なスクリューヘッドを有していて、そのスクリューヘッドが例えば周囲にフライス加工面またはビード加工面を備えているならば、緊急操作はねじ付きボルトの手動回転により簡単でかつ確実な方法で行なうことが出来る。
【００１１】
好ましくは引っ張り部材は、ねじ付きボルトの一体延伸部として形成されていて、ポールコアーの端部内面を通って外方向に向けて伸び、そして電機子に形成された軸方向穴の中に伸びている。
【００１２】
好ましくはねじ付きボルトの延伸部が引っ張り部材を形成していて、ポールコアーの軸方向穴にあるシール装置を通って伸びていて、電機子に形成された軸方向穴の中へ入ってゆく。またねじ付きボルトは、そのねじ付きボルトの他の部分とその近くの部分と比較してテーパー付きの外径を有している。このようにして緊急操作は、生じている高い運転圧力に対してもまた容易に実行することが出来る。
【００１３】
もしフライス加工端部かまたはビード加工端部かのどちらかが引っ張り部材の延伸部の、自由端部かまたは開口端部かのいずれかに外に向かって形成された面に備えられていれば、本装置は特に単純なものとなる。引っ張り部材の自由端部かまたは開口端部かいずれかのそのような構造は、もし引っ張り部材の自由端部が軸方向にくぼんだ構造であるならば、組立て段階で特に容易に製作することが出来る。さらに、構造ユニットと同様のモジュラーユニットの個々の構成部品の組立段階につづいて、くぼんだ構造の開口部はフライス加工端部かビード加工端部か折返し端部かいずれかの外側を向いた開口部に形成される。
以下に図に示す一つの典型的な実施の形態を参照して、本発明を詳細に説明する。
【００１４】
磁石スイッチの主要な部品が図１と２とに示されているが、磁気コイルのポールパイプ１に載置される磁気コイルは図から削除されている。使用されている磁石はいわゆる“テンション（ｔｅｎｓｉｏｎｉｎｇ）”型磁石に含まれていて、言いかえると磁石の電機子３が、図１に示されるようにばねアセンブリー５により付勢されてポールコアー７から最終的な位置に離され、図２に示されるように磁気コイルが励磁されるとばねアセンブリー５の付勢力に抗してポールコアー７の方向に付勢される。ポールパイプ１は磁気非結合となるように溶接部４により二つの部分に区切られている。
【００１５】
ポールコアー７から離れて電機子の端部部分６で、電機子３がばねリングまたはばねワッシャー４９と接触しており、そのばねリングまたはばねワッシャーが環状溝９に嵌合されていて、その環状溝は電機子３の軸方向穴１１に形成されており、電機子が操作用テーパー付きマンドレル１３と係合されていて、前述のことは図３に詳細に示されている。操作用テーパー付きマンドレル１３が、ばねリングまたはワッシャーリング４９に係合するために環状溝３５を有していて、電機子３から離れてポールパイプ１の端部近傍を越えて外方向に伸びており、例えば油圧装置における弁の作動のような切替え装置（ｓｗｉｔｃｈｉｎｇ  ｐｒｏｃｅｓｓ）用の操作部材として役に立つ。
【００１６】
各々の構成部品がポールパイプ１の内部に集合的に組立てられていて、構造ユニットと同様のプレハブ式モジュラーユニットを形成していて、そのモジュラーユニットは図４に全体が示されている。このモジュラーユニットはポールパイプ１の開口端部１５を介してポールパイプの中にそう入されていて、ポールコアー７は開口端部１５でポールパイプ１を締め切っている。ポールパイプ１とポールコアー７との間の結合はポールパイプ１の端部１５をポールコアー７の周囲の環状溝１７に折り込むことにより行なわれている。もう一つのポールコアー７の周囲の環状溝１９はポールコアー７とポールパイプ１との間のシールのためにＯ−リング２１が取り付けられている。
【００１７】
つけ加えると、ポールコアー７と電機子３と操作用マンドレル１３とがばねアセンブリー５と同様にポールパイプの中に組み込まれていて、図４に示すモジュラーユニットはまた緊急手動操作用装置を含んでいる。この装置がねじ付きボルト２３を含んでいて、そのボルトのねじ部分２４はポールコアー７の軸方向穴２７の内面ねじ２５に螺合されており、そしてまたそのねじ付きボルトはポールコアー７の端部で接近可能なスクリューヘッド２９を有していて、そのスクリューヘッドは端部に手動回転操作用のフライス加工端面またはビード加工端面を備えている。
【００１８】
ねじ付きボルト２３がその端部をテーパー付き端部セグメント３１によりスクリューヘッド２９から遠くはなれて伸ばされていて、ポールコアーのもう一つの穴セグメント２７に配置されているシール装置３９を通って電機子３の軸方向穴１の中へ伸びている。延伸部３１の自由端部が、部分的に細くなっている個所４３に嵌合していて、穴１１の中でポールコアー７に対面している第一環状肩面４１を通り、さらにポールコアー７からさらに離れた第二環状肩面４５を通過しており、その第二環状肩面４５は図３に明確に示されている。自由端部３１が端部に同軸なくぼんだ開口部５０を有していて、その開口部はフライス加工またはビード加工した端部４７を形成するために外側に向けてフランジ加工またはフライス加工されている。図２と３とに示されるように、フライス加工されフランジ加工された端部４７が、緊急操作の際に言いかえると環状肩面４５上のスクリューボルト２３を引き出すと図２と３とに見られるように、電機子３の穴１１の部分的に細い個所４３がその役目をになう搬送部を形成し、このことがポールコアー７に、ばねアセンブリー５の付勢力に対抗する張力（テンション）を生ずる。この場合の各々の構成部品の詳細な配置が図４に示されている。
【００１９】
引っ張り部材の長さは、スクリューボルト２３が螺合されている時、言いかえると緊急手動操作が作動されていない時、フライス加工またはビード加工された延伸部３１の末端部４７は環状肩面４５に対して図１〜３に示されるように、電機子３の標準パワーストローク（ｐｏｗｅｒ  ｓｔｒｏｋｅ）または作動リフトが障害なく可能となる位置関係にある。
【００２０】
図に示されるように、電機子３の軸方向穴１１におけるばねアセンブリー５の圧縮において、その一方がポールコアー７の方向を向き、かつ細い個所４３に形成された環状肩面４１上に支持されていて、もう一方はポールコアー７のシール装置３９に係合している環状ディスクまたはワッシャー５１上に支持されている。
【００２１】
この装置においてねじ付きボルト２３をはずすと、電機子３はばねアセンブリー５のばねの付勢力に抗してポールコアー７の近い最終位置に移動する。言いかえると電機子３がある種の不具合のためにばねアセンブリー５に抗して磁場の励起によっても動かない時、緊急用手動操作の必要性を生じる。図１において構成部品は磁場の励起もなく緊急用手動操作の作動もない状態を示している。それ故、図に示されるように電機子３はばねアセンブリー５の付勢力の作用により下方向に移動していて、ねじ付きボルト２３はポールコアー７に螺合されている。この結果、フライス加工端部またはビード加工端部４７のどちらかは電機子３の穴１１の環状肩面４５近傍に見出される。図２と３とにおいて電機子３はポールコアー７の磁場励起により、フライス加工端部またはビード加工端部４７のどちらかが電機子３のパワーストロークまたは作動リフトのどちらかに一致する環状肩面４５からある間隔をおいた配列にある。
【図面の簡単な説明】
【図１】  図１は本発明における緊急手動操作用装置の一つの実施の形態としての磁石スイッチの長手方向断面図である。但し、磁気コイルは除かれている。
【図２】  図２は磁石スイッチの電機子がポールコアーに引きもどされている状態を示す図１に対応した長手方向断面図である。
【図３】  図３は図２においてIII で示される部分の拡大した長手方向部分断面図である。
【図４】  図４は、ポールコアーおよび電機子と、それ等の各々に一体となっている個々の構成部品との構造ユニットと同様のモジュラーユニットの長手方向断面図である。なおモジュラーユニットは、結合されたポールパイプに組み込まれた状態で図１と２とに示されている。
【図１】
0004170589.tif 000002
【図２】
0004170589.tif 000003
【図３】
0004170589.tif 000004
【図４】
0004170589.tif 000005